(57)【要約】【課題】金属製の押出形材を用いて縁部の化粧を効果的に構成した天板の提供。【解決手段】  縁１１ｃに沿って溝１１ｅを有する天板材１１と、溝１１ｅに差し入れられる引っ掛け部１２ａと溝１１ｅから縁１１ｃにいたる天板材１１の板面１１ａ’を覆う覆い部１２ｂと側端面１１ｄを覆いながら下方に延びる垂下板部１２ｃと垂下板部１２ｃから垂下板部１２ｃの背面方向に突き出す取付部１２ｄとを備えている押出形材とを、補強材の嵌め入れ、又は、天板材に止着した補強材１３を介在して相互に止着する。【選択図】図１
2006075582.tif 000002
【特許請求の範囲】
【請求項１】
一つ以上の縁に沿って上面に溝の備えられている天板材と、
この溝に引っ掛けられるようにして当該溝の備えらている縁側の側端面を覆いながら下方に延びるように当該天板材に備えられる金属製の押出形材とを備えており、
この押出形材が、前記溝に差し入れられる引っ掛け部と、前記溝から前記縁にいたる該天板材の板面を覆うように該引っ掛け部に連続して設けられている覆い部と、前記側端面を覆いながら下方に延びるように該覆い部に連続して設けられている垂下板部と、この垂下板部から該垂下板部の背面方向に突き出すように設けられている取付部とを備えており、
前記引っ掛け部を前記溝に差し入れて前記天板材に備えられる前記押出形材における前記取付部と前記天板材との間に補強材が嵌め入れられ且つ当該押出形材が該天板材及び該補強材に止着されていることを特徴とする天板。
【請求項２】
シーリング材の入れ込まれた前記溝に引っ掛け部を入れ込むようにして前記天板材に備えられる押出形材における内側の面に塗布されている接着剤によって当該押出形材が前記天板材及び前記補強材に止着されていることを特徴とする請求項１に記載の天板。
【請求項３】
前記押出形材の取付部から前記補強材に向けてネジがねじ込まれていることを特徴とする請求項２に記載の天板。
【請求項４】
シーリング材の入れ込まれた前記溝に引っ掛け部を入れ込むようにして前記天板材に備えられる押出形材における内側の面に塗布されている接着剤によって当該押出形材が該天板材に止着されているとともに、この天板材に備えられた押出形材の取付部と該取付部に向き合う天板材との間に嵌め入れられる補強材に向けて該取付部からネジがねじ込まれていることを特徴とする請求項１に記載の天板。
【請求項５】
一つ以上の縁に沿って上面に溝が備えられている天板材と当該溝の備えられている縁に沿って該天板材の下面に備えられている補強材とを備えた天板部材と、
前記溝に引っ掛けられるようにして当該溝の備えらている縁側の側端面を覆いながら下方に延びるように前記天板部材に備えられる金属製の押出形材とを備えており、
この押出形材が、前記溝に差し入れられる引っ掛け部と、前記溝から前記縁にいたる該天板材の板面を覆うように該引っ掛け部に連続して設けられている覆い部と、前記天板部材の側端面を覆いながら下方に延びるように該覆い部に連続して設けられている垂下板部と、この垂下板部から該垂下板部の背面方向に突き出すように設けられている取付部とを備えており、
パッキン材の納め入れられた前記溝に前記引っ掛け部を差し入れると共に前記天板部材の側端面に前記垂下板部を近づかせるようにして前記取付部を前記補強材の下面に接するように前記押出形材を前記天板部材に組み付けると共に、
この押出形材を該天板部材に止着するようにしてあることを特徴とする天板。
【請求項６】
前記押出形材が前記天板部材に接着又はネジにより止着してあることを特徴とする請求項５に記載の天板。
【請求項７】
前記押出形材が前記天板部材に接着及びネジにより止着してあることを特徴とする請求項５に記載の天板。
【発明の詳細な説明】
【技術分野】
【０００１】
この発明は、天板における側端面を容易に且つ都合良く覆うことによって外観体裁の良好な各種の用途に用いうる天板を割安に提供しようとするものである。
【背景技術】
【０００２】
厨房における各種の作業用天板、厨房設備としての食器棚上に備えられる天板、ダイニングテーブル等のダイニングまわりに用いられる各種設備に備えられる天板、洗面化粧台などの洗面まわりの各種設備に備えられる天板、下駄箱等の玄関まわりの各種設備に備えられる天板等は、それぞれの目的に対応して選択された素材を用いてそれぞれの目的に対応した形態を備えたものとして構成されている。
【０００３】
かかる天板は、天板として用いられる板材における側端面に、例えば、図２３に示されるような化粧を施して用いるようにしていた。
【０００４】
この図２３に示される天板１００は、各種の用途に用いうる天板１００であって、合板１０１ｂ上に人工大理石１０１ａを張り合わせて構成される天板材１０１と、天板材１０１の側端面、この図示例にあっては人工大理石１０１ａの側端面に、その長手方向にわたるように実状凸条１０１ａ’を設け、この実状凸条１０１ａ’を利用して当該天板材１０１の側端面を化粧する縦向きに用いられる人工大理石板１０２とを備えた構成としてある。
【０００５】
この典型的な従来例に係る天板１００は、縦向きに用いられる人工大理石板１０２おける上部側の板面に前記実状凸条１０１ａ’の密に嵌り合う溝１０２’を設けるようになすと共に当該溝１０２’に前記天板材１０１の実状凸条１０１ａ’を嵌め入れ状態にして、当該人工大理石板１０２を該天板材１０１の側端面に接着一体として天板１００を構成してある。
【０００６】
このようにして構成される天板１００は、天板材１０１の表面と、これに連続する側端面が同質の外観特性を備えた人工大理石によって構成されていることから、外観体裁が良好とされる。
【０００７】
しかしながら、この種の人工大理石によって外観体裁の良好な天板を構成するには、多くの加工手間を要し、しかも、加工に特殊な技術が要請されるとともに、割高な人工大理石を効率良く用いきれない不具合があり、製作コストが割高となる不具合があった。
【０００８】
また、人工大理石の加工特性等から、天板材における人工大理石と縦向きに備えられる人工大理石板との接合縁は概ね図２３に示されるような形態とされることが無難とされ、各種形態の接合縁を容易に作成するには不向きであった。
【発明の開示】
【発明が解決しようとする課題】
【０００９】
この発明が解決しようとする主たる問題点は、任意の素材からなる天板材に対応して、この天板材における側端面を都合よく覆うように化粧するようにして、外観特性の良好な天板を格別の熟練者の製作によることなく、しかも、少ない製作手間で容易に製作提供する点にある。
【課題を解決するための手段】
【００１０】
前記問題点を解決するために、第１の発明にあっては、一つ以上の縁に沿って上面に溝の備えられている天板材と、
この溝に引っ掛けられるようにして当該溝の備えらている縁側の側端面を覆いながら下方に延びるように当該天板材に備えられる金属製の押出形材とを備えており、
この押出形材が、前記溝に差し入れられる引っ掛け部と、前記溝から前記縁にいたる該天板材の板面を覆うように該引っ掛け部に連続して設けられている覆い部と、前記側端面を覆いながら下方に延びるように該覆い部に連続して設けられている垂下板部と、この垂下板部から該垂下板部の背面方向に突き出すように設けられている取付部とを備えており、
前記引っ掛け部を前記溝に差し入れて前記天板材に備えられる前記押出形材における前記取付部と前記天板材との間に補強材が嵌め入れられ且つ当該押出形材が該天板材及び該補強材に止着されていることを特徴とする天板としてある。
【００１１】
このように構成される天板は、押出形材における引っ掛け部を天板材の溝に単
に引っ掛けるようにして、当該押出形材を天板材における側端面を覆うように当該天板材に組み付け、かつ、この押出形材における取付部と天板材の下面との間に補強材を嵌め入れるとともに、当該天板材及び補強材に対して当該押出形材を止着することのみのよって、縁部分を金属製の押出形材によって補強され、かつ化粧された天板を構成することができる。
【００１２】
かかる構成からなる天板にあっては、天板材に組み付ける押出形材の素材の変更や、押出形材の形状の変更等によって、適宜目的とする外観体裁を備える天板を容易に製作、提供することができ、多種類の天板の少量生産にも都合よく対応することができる。
【００１３】
前記構成に係る天板にあって、シーリング材の入れ込まれた前記溝に引っ掛け部を入れ込むようにして前記天板材に備えられる押出形材における内側の面に塗布されている接着剤によって当該押出形材が前記天板材及び前記補強材に止着されている構成の天板では、前記特長に併せて当該押出形材を接着によって容易に備え付け得るとともに、押出形材における引っ掛け部から覆い部が天板に水返しの機能をもたらし、当該天板の縁部に当該水返しによる画然とした区分線をもたらすことができる。
【００１４】
前記天板材と補強材とに接着により止着されている押出形材を備える天板にあって、さらに、前記押出形材の取付部から前記補強材に向けてネジがねじ込まれている天板では、前記特長に併せて、押出形材をより強固に止着することができる。
【００１５】
また、シーリング材の入れ込まれた前記溝に引っ掛け部を入れ込むようにして前記天板材に備えられる押出形材における内側の面に塗布されている接着剤によって当該押出形材が該天板材に止着されているとともに、この天板材に備えられた押出形材の取付部と該取付部に向き合う天板材との間に嵌め入れられる補強材に向けて該取付部からネジがねじ込まれている構成の天板では、前記特長に併せ
て、当該押出形材をネジを用いて確実、かつ、容易に止着することができる。
【００１６】
前記問題点を解決するために、第２の発明にあっては、一つ以上の縁に沿って上面に溝が備えられている天板材と当該溝の備えられている縁に沿って該天板材の下面に備えられている補強材とを備えた天板部材と、
前記溝に引っ掛けられるようにして当該溝の備えらている縁側の側端面を覆いながら下方に延びるように前記天板部材に備えられる金属製の押出形材とを備えており、
この押出形材が、前記溝に差し入れられる引っ掛け部と、前記溝から前記縁にいたる該天板材の板面を覆うように該引っ掛け部に連続して設けられている覆い部と、前記天板部材の側端面を覆いながら下方に延びるように該覆い部に連続して設けられている垂下板部と、この垂下板部から該垂下板部の背面方向に突き出すように設けられている取付部とを備えており、
パッキン材の納め入れられた前記溝に前記引っ掛け部を差し入れると共に前記天板部材の側端面に前記垂下板部を近づかせるようにして前記取付部を前記補強材の下面に接するように前記押出形材を前記天板部材に組み付けると共に、
この押出形材を該天板部材に止着するようにしてあることを特徴とする天板としてある。
【００１７】
このように構成される天板は、押出形材における引っ掛け部を天板材の溝に単
に引っ掛けるようになすと共に、当該押出形材における垂下板部を天板部材の側端面に近づかせるようにして、当該押出形材の取付部を前記天板部材の補強材の下面に密着させると共に当該押出形材を天板部材に止着することで、縁部分を金属製の押出形材によって補強され、かつ化粧された天板を構成することができる。
【００１８】
かかる構成からなる天板にあっては、天板部材に組み付ける押出形材の素材の変更や、押出形材の形状の変更等によって、適宜目的とする外観体裁を備える天板を容易に製作、提供することができ、多種類の天板の少量生産にも都合よく対応することができる。
【００１９】
また、前記構成に係る天板にあっては、天板材におけるパッキン材を備えた溝に入れ込まれる前記押出形材の引っ掛け部によって、このパッキン材を弾性変形させながら、当該押出形材の取付部を天板部材における補強材の下面に密着するように組み付けることができる。
【００２０】
また、前記第２の発明に係る天板において、前記押出形材が前記天板部材に接着又はネジにより止着してあることを特徴とする天板にあっては、前記特長に併せて、当該押出形材を容易に天板部材に止着することができる。
【００２１】
更に、前記第２の発明に係る天板において、前記押出形材が前記天板部材に接着及びネジにより止着してあることを特徴とする天板にあっては、前記特長にあわせて、当該押出形材を容易、かつ、確実に天板部材に止着することができる。
【発明の効果】
【００２２】
前記第１の発明に係る天板によれば、天板材の縁部分に前記構成を備えた押出形材を引っ掛け状に組み付けるとともに、この押出形材を天板材と、当該天板材及び取付部間に嵌め入れられる補強材とに止着することによって、縁部に所要の幅を備えた押出形材を有する天板を構成することができ、縁部が補強され、しかも、化粧の施された天板を容易に構成することができる。
【００２３】
また、前記第２の発明に係る天板によれば、天板部材の天板材の溝に前記構成を備えた押出形材を引っ掛け状態にすると共に、この押出形材の垂下板部を該天板部材の側端面に近づかせるようにして、この押出形材の取付部を該天板部材の補強材の下面に密着させると共に、この押出形材を該天板部材に止着することによって、縁部に所要の幅を備えた押出形材を有する天板を構成することができ、縁部が補強され、しかも、化粧の施された天板を容易に構成することができる。
【発明を実施するための最良の形態】
【００２４】
以下、図１〜図２２にもとづいて、この発明を実施するための最良の形態に係る各天板１０について説明する。
【００２５】
なお、図１〜図９では、第１の発明に係る天板１０を、図１０〜図２２では、第２の発明に係る天板を示している。
【００２６】
図１〜図９は第１の発明に係る天板１０を示すものであって、図１では、この発明を実施するための最良の一形態に係る天板１０を破断し、その要部を斜視の状態で斜め上方から見て示している。
図２〜図６は、天板１０を構成する状態を順次に示しており、図２では、天板１０を構成する天板材１１を、その加工前の状態で断面して示しており、図３では、かかる天板材１１に溝１１ｅを施した状態を断面して示しており、さらに、図４では、かかる天板材１１の前記溝１１ｅに押出形材１２の引っ掛け部１２ａを引っ掛けた状態で、当該押出形材１２を天板材１１に止着した状態を断面して示している。図５では、さらに、押出形材１２と天板材１１との間に補強材１３を嵌め入れるとともに、この押出形材１２を当該天板材１１及び補強材１３に止着した状態を断面して示している。図６では、天板材１１に止着されている押出形材１２をネジ１５を用いて補強材１３に止着している状態を断面して示している。
図７は、かかる天板１０をシンク３０を備えたキャビネット２０に備え付けた状態を断面の状態で示しており、図８は、かかる天板１０を備えたシステムキッチン等のキッチン設備の一例を斜め上方から示している。
図９は、さらに、かかる天板１０を洗面化粧台を構成するキャビネット２０に備えた状態を断面して示している。
【００２７】
図１０〜図２２は第２の発明に係る天板１０を示すものであって、図１０では、この発明を実施するための最良の一形態に係る天板１０を破断し、その要部を斜視の状態で斜め上方から見て示している。
図１１では、当該天板１０を構成する天板部材５０にパッキン材１４’を備え付けた状態を断面して示しており、図１２では、この天板部材５０に押出形材１２を組み付ける一過程を、更に、図１３では、この天板部材５０に押出形材５０を止着した状態を、それぞれ、要部断面の状態で示している。
図１４は、かかる天板１０をシンク３０を備えたキャビネット２０に備え付けた状態を断面の状態で示しており、図１５は、かかる天板１０を備えたシステムキッチン等のキッチン設備の一例を斜め上方から示している。図１６は、さらに、かかる天板１０を洗面化粧台を構成するキャビネット２０に備えた状態を断面して示している。
【００２８】
図１７では、この発明を実施するための最良の形態に係る他の天板１０を破断し、その要部を斜視の状態で斜め上方から見て示している。
図１８では、当該天板１０を構成する天板部材５０にパッキン材１４’を備え付けた状態を断面して示しており、図１９では、この天板部材５０に押出形材１２を組み付ける一過程を、更に、図２０では、この天板部材５０に押出形５０を止着した状態を、それぞれ、要部断面の状態で示している。
図２１は、かかる天板１０をシンク３０を備えたキャビネット２０に備え付けた状態を断面の状態で示しており、図２２は、さらに、かかる天板１０を洗面化粧台を構成するキャビネット２０に備えた状態を断面して示している。
【００２９】
まず、図１〜図９において示される第１の発明に係る天板１０について説明する。
【００３０】
この第１の発明に係る典型的な天板１０は、一つ以上の縁１１ｃに沿って上面１１ａに溝１１ｅの備えられている天板材１１と、
この溝１１ｅに引っ掛けられるようにして当該溝１１ｅの備えらている縁１１ｃ側の側端面１１ｄを覆いながら下方に延びるように当該天板材１１に備えられる金属製の押出形材１２とを備えており、
この押出形材１２が、前記溝１１ｅに差し入れられる引っ掛け部１２ａと、前記溝１１ｅから前記縁１１ｃにいたる該天板材１１の板面１１ａ’を覆うように該引っ掛け部１２ａに連続して設けられている覆い部１２ｂと、前記側端面１１ｄを覆いながら下方に延びるように該覆い部１２ｂに連続して設けられている垂下板部１２ｃと、この垂下板部１２ｃから該垂下板部１２ｃの背面方向に突き出すように設けられている取付部１２ｄとを備えており、
前記引っ掛け部１２ａを前記溝１１ｅに差し入れて前記天板材１１に備えられる前記押出形材１２における前記取付部１２ｄと前記天板材１１との間に補強材１３が嵌め入れられ且つ当該押出形材１２が該天板材１１及び該補強材１３に止着されている構成としてある。
なお、ここで「側端面１１ｄ」は、天板材１１における上面１１ａ及び下面１１ｂ間にある厚さ方向の面を意味している。
【００３１】
このように構成される天板１０は、押出形材１２における引っ掛け部１２ａを天板材１１の溝１１ｅに引っ掛けるようにして、当該押出形材１２を天板材１１における側端面１１ｄを覆うように当該天板材１１に組み付け、かつ、この押出形材１２における取付部１２ｄと天板材１１の下面１１ｂとの間に補強材１３を嵌め入れるとともに、当該天板材１１及び補強材１３に対して当該押出形材１２を止着することのみのよって、縁部分を金属製の押出形材１２によって補強され、かつ化粧された天板１０を構成することができる特長を有している。
【００３２】
又、このように構成される天板１０にあっては、天板材１１に組み付ける押出形材１２の素材の変更や、押出形材１２の形状の変更等によって、適宜目的とする外観体裁をなす天板１０を容易に製作、提供することができ、多種類の天板１０の少量生産にも都合よく対応することができる。
【００３３】
また、前記構成に係る天板１０において、シーリング材１４の入れ込まれた前記溝１１ｅに引っ掛け部１２ａを入れ込むようにして前記天板材１１に備えられる押出形材１２における内側の面、すなわち、前記天板材１１の側端面１１ｄに向き合っている面に塗布されている接着剤によって当該押出形材１２が前記天板材１１及び前記補強材１３に止着されている構成の天板１０にあっては、前記特長に併せて当該押出形材１２を接着によって容易に備え付け得るとともに、押出形材１２における引っ掛け部１２ａから覆い部１２ｂが天板１０に水返しの機能をもたらし、当該天板１０の縁１１ｃ部に当該水返し１０ａによる画然とした区分線をもたらすことができる。
【００３４】
また、前記天板材１１と補強材１３とに接着により止着されている押出形材１２を備える天板１０にあって、さらに、前記押出形材１２の取付部１２ｄから前記補強材１３に向けてネジ１５がねじ込まれている天板１０では、前記特長に併せて、押出形材１２をより強固に止着することができる。
【００３５】
また、シーリング材１４の入れ込まれた前記溝１１ｅに引っ掛け部１２ａを入れ込むようにして前記天板材１１に備えられる押出形材１２における内側の面、すなわち、前記天板材１１における側端面１１ｄに向き合っている面に塗布されている接着剤によって当該押出形材１２が該天板材１１に止着されているとともに、この天板材１１に備えられた押出形材１２の取付部１２ｄと該取付部１２ｄに向き合う天板材１１との間に嵌め入れられる補強材１３に向けて該取付部１２ｄからネジ１５がねじ込まれている構成の天板１０では、前記特長に併せて、当該押出形材１２をネジ１５を用いて確実、かつ、容易に止着することができる。
【００３６】
なお、天板材１１に備えられる溝１１ｅは、当該溝１１ｅを用いて押出形材１２を天板材１１に組み付ける必要のある当該天板材１１の縁１１ｃに設けられるものであって、例えば、四角形状をなす天板材１１の手前縁に沿って該溝１１ｅを設け、この溝１１ｅを利用して、例えば、キャビネットの手前縁に押出形材１２を備え付けるようになすことができる。
また、四角形状をなす天板材１１の手前縁と、これに続く後方に向けた縁とに当該溝１１ｅを設け、平面視でコ字状をなすように天板材１１に対して押出形材１２を備え付けるようになすことができる。
さらに、四角形状をなす天板材１１を巡るように溝１１ｅを設け、この天板材１１を巡るように備えられる溝１１ｅを用いて、当該天板材１１の各辺縁１１ｃにそれぞれ備えられる押出形材１２が一連に連続する態様の押出形材１２となるように設けることができる。
【００３７】
なお、この天板材１１に備えられる溝１１ｅは、当該溝１１ｅに対して引っ掛け状態で差し入れられる押出形材１２における引っ掛け部１２ａが都合良く引っ掛け状態で収まるとともに、当該溝１１ｅ内に位置づけられる該引っ掛け部１２ａと当該溝１１ｅ内に入れ込まれたシリコーンゴム等のシーリング材１４とによって当該溝１１ｅによって区分される天板材１１における上面１１ａにおける開放されている面と覆い部１２ｂによって覆われた板面１１ａ’とが水密的に区分し得る構成とされている。
【００３８】
かかる押出形材１２の備えつけられる天板材１１は、いかなる素材によって構成してあっても、また、いかなる形態に構成してあっても良く、例えば、無垢板として構成してあっても、集成材として構成してあっても、また、積層板として構成してあっても、さらには、複合板として構成してあっても良い。例えば、合板上に人工大理石を貼り込んだ天板材１１や、合板上にメラミン樹脂化粧板を貼り込んだ天板材１１等をシンク備え付けキャビネット２１や、調理機器備え付けキャビネット２２や、調理用キャビネット２３などの各種フロアーキャビネット２０等の上部に備え付けて用いることができる。
また、例えば、合板上に人工大理石を貼り込んだ天板材１１や、合板上にメラミン樹脂化粧板を貼り込んだ天板材１１等を洗面化粧台を構成するキャビネット２０上に備え付け用いることができる。
【００３９】
かかる天板材１１に備え付けられる押出形材１２は、各種金属の押出成形材、例えば、アルミニウム製の押出形材１２やアルミニウム合金製の押出形材１２等が用いられる。
【００４０】
かかる押出形材１２は、各種形態のものを用いることができる。例えば、前記溝１１ｅに差し入れられる引っ掛け部１２ａと、前記溝１１ｅから前記縁１１ｃにいたる該天板材１１の板面１１ａ’を覆うように該引っ掛け部１２ａに連続して設けられている覆い部１２ｂと、前記側端面１１ｄを覆いながら下方に延びるように該覆い部１２ｂに連続して設けられている垂下板部１２ｃと、この垂下板部１２ｃから該垂下板部１２ｃの背面方向に突き出すように設けられている取付部１２ｄとを備えた構成のものであれば、いかなる形態のものであっても良く、これらの引っ掛け部１２ａと該引っ掛け部１２ａに連続して設けられている覆い部１２ｂと前記側端面１１ｄを覆いながら下方に延びるように該覆い部１２ｂに連続して設けられている垂下板部１２ｃと該垂下板部１２ｃの背面方向に突き出すように設けられている取付部１２ｄとを備えておれば、さらに、他の各種の構成を備えたものであっても良い。
【００４１】
かかる天板材１１及び押出形材１２と共に天板１０を構成する補強材１３は、前記天板材１１の溝１１ｅに引っ掛け部１２ａを引っ掛けた状態にある押出形材１２における取付部１２ｄと当該取付部１２ｄに向き合っている天板材１１の下面１１ｂとの間に嵌め入れられる構成としてあり、典型的には、当該押出形材１２が天板材１１に対して当該補強材１３によってガタ無く組み付け得る構成としてあることが好ましい。
【００４２】
かかる補強材１３は、前記取付部１２ｄと当該取付部１２ｄに向き合っている天板材１１の下面１１ｂとの間に嵌め入れ得るものであれば、いかなる形態のものであっても良く、例えば、無垢の角材、集成材、合板等の適宜の素材を単独で又は複数枚を重ね合わせるようにして構成することができる。
【００４３】
かかる天板材１１と押出形材１２と補強材１３とは、適宜の手段によって一体的に構成されておれば良く、例えば、前記溝１１ｅに押出形材１２における引っ掛け部１２ａを引っ掛けた状態で、この押出形材１２における内側の面、すなわち、天板材１１の側端面１１ｄに向き合う側の面に塗布用意した接着剤によって当該押出形材１２を天板材１１に接着し、ついで、取付部１２ｄに向き合っている天板材１１の下面１１ｂに接着剤を塗布用意すると共に該天板材１１の下面１１ｂに向き合っている取付部１２ｄの面及び補強材１３の嵌め入れ押しつけられる垂下板部１２ｃの面に塗布されている接着剤等によって、この取付部１２ｄと天板材１１との間に嵌め入れられた補強材１３と前記天板材１１と押出形材１２とを相互に一体となるように接着する。
【００４４】
さらに、例えば、前記溝１１ｅに押出形材１２における引っ掛け部１２ａを引っ掛けた状態で、この押出形材１２における内側の面、すなわち、天板材１１の側端面１１ｄに向き合う側の面に塗布用意した接着剤によって当該押出形材１２を天板材１１に対して接着し、ついで、取付部１２ｄとこの取付部１２ｄに向き合っている天板材１１との間に補強材１３を嵌め入れると共に該取付部１２ｄから補強材１３に向けてネジ１５をねじ入れて当該押出形材１２を確実に止着する。なお、この取付部１２ｄからねじ込まれるネジ１５は、典型的には、天板材１１までねじ込まれるようにしてあり、これによって、補強材１３と天板材１１と押出形材１２とが当該ネジ１５によって確実に止着される。
【００４５】
さらに、例えば、前記溝１１ｅに押出形材１２における引っ掛け部１２ａを引っ掛けた状態で、この押出形材１２における内側の面、すなわち、天板材１１の側端面１１ｄに向き合う側の面に塗布用意した接着剤によって当該押出形材１２を天板材１１に接着し、ついで、取付部１２ｄに向き合っている天板材１１の面に接着剤を塗布用意すると共に該天板材１１の面に向き合っている取付部１２ｄの面及び補強材１３の嵌め入れ押しつけられる垂下板部１２ｃの面に塗布されている接着剤等によって、この取付部１２ｄと天板材１１との間に嵌め入れられた補強材１３と前記天板材１１と押出形材１２とを相互に一体となるように接着すると共に、該取付部１２ｄから補強材１３に向けてネジ１５をねじ入れて当該押出形材１２を確実に止着する。なお、この取付部１２ｄからねじ込まれるネジ１５は、典型的には、天板材１１までねじ込まれるようにしてあり、これによって、補強材１３と天板材１１と押出形材１２とが当該ネジ１５によって確実に止着される。
【００４６】
このようにして得られた天板は、厨房における各種作業等に用いられる天板、厨房設備としての食器棚上に備えられる天板、ダイニングテーブル等のダイニングまわりに用いられる各種設備に備えられる天板、洗面化粧台などの洗面まわりの各種設備に備えられる天板、下駄箱等の玄関まわりの各種設備に備えられる天板、造り付けの各種収納家具や造り付けの収納庫や各種の造作の天板等として用いることができる。
【００４７】
さらに、典型的には、システムキッチンを構成する各種のフロアーキャビネット等のキャビネット２０類に当該天板１０組み付けて用いることができる。また、各種の機器を装備したフロアーキャビネット等のキャビネット２０に当該天板１０を組み付けて用いることができる。さらに、食器棚、サイドボード、カクテルキャビネット等の各種の収納家具や調度品などの天板として用いることができる。
【００４８】
かかる構成からなる天板１０にあっては、押出形材１２の備えられる縁部を金属特有の質感を備え、しかも、堅牢で、すっきりとした形状の縁部に構成できると共に、溝１１ｅに引っ掛けられる押出形材１２における引っ掛け部１２ａによって、この天板１０の縁１１ｃに沿って、すっきりとした水返し１０ａを設けることができる。
【００４９】
また、前記天板１０の構成において金属製の押出形材１２を用いることで、前記特長を備えた天板１０を格別の熟練者によることなく、容易に、しかも、必要最小限の材料を用いて製作することができる。
【００５０】
（実施例１）
ついで、システムキッチン等を構成するフロアーキャビネット等のキャビネット２０に備え付けた典型的な天板１０について説明する。
【００５１】
この実施例の天板１０は、図２に示されるように人工大理石板１１’と補強合板１１”とを接着一体にして構成した天板材１１を用いており、この天板材１１における人工大理石板１１’側が上になるようにして用いる。
【００５２】
このようにして用意された天板材１１における一つの縁１１ｃ、この実施例にあっては、当該天板材１１の備え付けられるフロアーキャビネット等のキャビネット２０における手前側の上縁に沿う縁１１ｃに沿って、その上面１１ａ、すなわち、人工大理石板１１’の面に、図３に示されるように溝１１ｅを設ける。
【００５３】
かかる天板材１１に組み付け用いられる押出形材１２は、典型的には、アルミニウム合金製の押出形材１２であって、前記溝１１ｅに垂直に差し入れられる板状の引っ掛け部１２ａと、前記溝１１ｅから天板材１１の手前側縁１１ｃにいたる板面１１ａ’を覆うように該引っ掛け部１２ａから直角に延びるように備えられる板状の覆い部１２ｂと、この覆い部１２ｂから前記天板材１１の側端面１１ｄに添って当該側端面１１ｄを覆って下方に延びるように備えられる垂下板部１２ｃと、この垂下板部１２ｃの下端から直角に当該垂下板部１２ｃの背面方向に向けて延びるように備えられる板状の取付部１２ｄとを備えた構成としてあり、前記板状の覆い部１２ｂと当該板状の取付部１２ｄとが平行とされ、また、前記板状の引っ掛け部１２ａと垂下板部１２ｃとが平行となるようにしてある。
【００５４】
このように構成された天板材１１の溝１１ｅにシリコーンゴム等のシーリング材１４を充填すると共に、押出形材１２における当該天板材１１に向き合う側の面に接着剤を塗布用意し、当該押出形材１２における引っ掛け部１２ａを前記溝１１ｅに差し入れた状態で該押出形材１２の覆い部１２ｂと該覆い部１２ｂに連続する垂下板部１２ｃの面を前記天板材１１の板面１１ａ’及び側端面１１ｄに対して図４に示すように止着する。
【００５５】
ついで、前記板状をなす取付部１２ｄと向き合っている天板材１１の下面１１ｂに接着剤を塗布し、この取付部１２ｄと天板材１１との間に角材からなる補強材１３を押し込み状態で嵌め入れ、天板材１１と押出形材１２と補強材１３とを図５に示すように相互に止接着状態にする。
【００５６】
さらに、板状をなす取付部１２ｄからネジ１５を補強材１３と天板材１１、特に当該天板材１１における補強合板１１”にいたるようにねじ入れ、図６に示すように天板材１１と押出形材１２と補強材１３とを強固に結合する。
【００５７】
このようにして得られた天板１０に対して、必要に応じてバックガード３８を備え付けて、シンク３０を備えたフロアーキャビネット２１、レンジ等の加熱調理機器３１等を備えたフロアーキャビネット２２、調理用のフロアーキャビネット２３等のキャビネット２０上に備え付けてシステムキッチン等のキッチン装置を構成する。
【００５８】
なお、前記押出形材１２の止めつけにおいて、補強材１３を接着剤を用いて止着することなく、ネジ１５のみで押出形材１２及び天板材１１に止着するように構成することもある。
また、前記押出形材１２の止めつけにおいて、天板材１１と押出形材１２と補強材１３とを接着剤のみで止着するように構成することもある。
【００５９】
なお、図中３３はシンク３０の排水部を、３４は給水・給湯用の水栓金具を、３５はキャビネット２０の扉を、３６はキャビネット２０の抽斗を、３７はキャビネット２０の側面を構成する化粧側板を示している。
【００６０】
このようにフロアーキャビネット等のキャビネット２０上に備え付けられる天板１０にあっては、当該キャビネット２０の手前側の上端部分が押出形材１２によって、金属特有の質感を備えると共に、堅牢で、しかも、すっきりとした形状の縁部をなすように構成でき、溝１１ｅに引っ掛けられる押出形材１２における引っ掛け部１２ａによって、この天板１０の手前縁１１ｃに沿って、すっきりとした水返し１０ａを設けることができる。
【００６１】
また、前記構成にかかる天板１０にあっては、金属製の押出形材１２を用いることによって、かかる特長を備えた天板１０を格別の熟練者によることなく、容易に、しかも、必要最小限の材料を用いて製作することができる。
【００６２】
（実施例２）
前記実施例１において構成された天板１０は、これを洗面化粧台を構成するキャビネット２０上に備え付けることによって、図９に示される洗面化粧台を構成することができる。
【００６３】
図中３２は洗面ボールを示しており、前記実施例１と同一または実質的に同一の構成部分には、同一の番号を付して、その説明を省略する。
【００６４】
ついで、図１０〜図２２において示される第２の発明に係る天板１０について説明する。
【００６５】
この第２の発明に係る典型的な天板１０は、一つ以上の縁１１ｃに沿って上面１１ａに溝１１ｅが備えられている天板材１１と当該溝１１ｅの備えられている縁１１ｃに沿って該天板材１１の下面１１ｂに備えられている補強材１３とを備えた天板部材５０と、
前記溝１１ｅに引っ掛けられるようにして当該溝１１ｅの備えらている縁側の側端面５０ａを覆いながら下方に延びるように前記天板部材５０に備えられる金属製の押出形材１２とを備えており、
この押出形材１２が、前記溝１１ｅに差し入れられる引っ掛け部１２ａと、前記溝１１ｅから前記縁１１ｃにいたる該天板材１１の板面１１ａ’を覆うように該引っ掛け部１２ａに連続して設けられている覆い部１２ｂと、前記天板部材５０の側端面５０ａを覆いながら下方に延びるように該覆い部１２ｂに連続して設けられている垂下板部１２ｃと、この垂下板部１２ｃから該垂下板部１２ｃの背面方向に突き出すように設けられている取付部１２ｄとを備えており、
パッキン材１４’の納め入れられた前記溝１１ｅに前記引っ掛け部１２ａを差し入れると共に前記天板部材５０の側端面５０ａに前記垂下板部１２ｃを近づかせるようにして前記取付部１２ｄを前記補強材１３の下面１３ｂに接するように前記押出形材１２を前記天板部材５０に組み付けると共に、
この押出形材１２を該天板部材５０に止着するようにしてある。
なお、ここで「側端面５０ａ」は、天板材１１の上面１１ａ及び補強材１３の下面１３ｂ間にある厚さ方向の面を意味している。
【００６６】
このように構成される天板１０は、押出形材１２における引っ掛け部１２ａを天板部材５０を構成する天板材１１の溝１１ｅに単に引っ掛けるようになすと共に、当該押出形材１２における垂下板部１２ｃを天板部材５０の側端面５０ａに近づかせるようにして、当該押出形材１２の取付部１２ｄを前記天板部材５０の補強材１３の下面１３ｂに密着させると共に当該押出形材１２を天板部材５０に止着することで、縁部分を金属製の押出形材１２によって補強され、かつ化粧された天板１０を構成することができる。
【００６７】
かかる構成からなる天板１０にあっては、天板部材５０に組み付ける押出形材１２の素材の変更や、押出形材１２の形状の変更等によって、適宜目的とする外観体裁を備える天板１０を容易に製作、提供することができ、多種類の天板１０の少量生産にも都合よく対応することができる。
【００６８】
また、前記構成に係る天板１０にあっては、天板材１１におけるパッキン材１４’を備えた溝１１ｅに入れ込まれる前記押出形材１２の引っ掛け部１２ａによって、このパッキン材１４’を弾性変形させながら、当該押出形材１２の取付部１２ｄを天板部材５０における補強材１３の下面１３ｂに密着するように組み付けることができる。
【００６９】
また、この天板１０における前記押出形材１２を前記天板部材５０に接着又ネジにより止着してある天板１０にあっては、当該押出形材１２を容易に天板部材５０に止着することができる。
【００７０】
更に、この天板１０における前記押出形材１２を前記天板部材５０に接着及びネジにより止着してある天板１０にあっては、当該押出形材１２を容易、かつ、確実に天板部材５０に止着することができる。
【００７１】
ここで押出形材１２と共に天板１０を構成する天板部材５０は、一つ以上の縁１１ｃに沿って上面１１ａに溝１１ｅが備えられている天板材１１と、この溝１１ｅの備えられている縁１１ｃに沿って該天板材１１の下面１１ｂに備えられている補強材１３とを備えた構成としてあれば、いかなる態様に構成されているものであってもよい。
【００７２】
なお、この天板部材５０を構成する天板材１１に備えられる溝１１ｅは、押出形材１２を組み付ける必要のある当該天板部材５０における天板材１１の縁１１ｃに沿って設けられるものであって、例えば、四角形状をなす天板部材５０の手前縁に沿って該溝１１ｅを設け、この溝１１ｅを利用して、例えば、キャビネットの手前縁に押出形材１２を備え付けるようになすことができる。
また、四角形状をなす天板部材５０の手前縁と、これに続く後方に向けた縁とに当該溝１１ｅを設け、平面視でコ字状をなすように天板部材５０に対して押出形材１２を備え付けるようになすことができる。
さらに、四角形状をなす天板部材５０の天板材１１を巡るように溝１１ｅを設け、この天板部材５０を巡るように備えられる溝１１ｅを用いて、当該天板部材５０の各辺縁に一連に連続する態様の押出形材１２を設けることができる。
【００７３】
なお、この天板材１１に備えられる溝１１ｅは、当該溝１１ｅに対して引っ掛け状態で差し入れられる押出形材１２における引っ掛け部１２ａが都合良く引っ掛け状態で収まるとともに、当該溝１１ｅ内に位置づけられる該引っ掛け部１２ａと当該溝１１ｅ内に入れ込まれたゴム材やゴム状弾性材によって構成されるパッキン材１４’とによって天板材１１における上面１１ａにおける開放されている面と覆い部１２ｂによって覆われた板面１１ａ’とを水密的に区分し得る構成とされている。
【００７４】
かかる押出形材１２の備えつけられる天板部材５０を構成する天板材１１は、いかなる素材によって構成してあっても、また、いかなる形態に構成してあっても良く、例えば、無垢板として構成してあっても、集成材として構成してあっても、また、積層板として構成してあっても、さらには、複合板として構成してあっても良い。例えば、合板上に人工大理石を貼り込んだ天板材１１や、合板上にメラミン樹脂化粧板を貼り込んで構成することができる。
【００７５】
かかる天板材１１と共に天板部材５０を構成する補強材１３は、天板材１１における溝１１ｃの設けられている側縁に沿った下面１１ｂに当該天板材１１と一体をなすように設けられており、前記天板部材５０の溝１１ｅに引っ掛け部１２ａを引っ掛けた押出形材１２の取付部１２ｄが当該補強材１３の下面１３ｂに密着し得る構成としてあれば、いかなる構成のものであっても、また、いかなる素材によって構成してあってもよい。
【００７６】
かかる補強材１３は、前記押出形材１２における取付部１２ｄが当該補強材１３の下面１３ａに向けて回動されて密着し得る空間を備える構成としてある。当該取付部１３の回動を可能とする空間は、例えば、接着等適宜の手段によって天板材１１に対して止着された無垢の角材、集成材、合板等の適宜の素材からなる補強材１３を前記天板材１１の端部から離して当該天板材１１に一体的に止着することによって設けたり、当該天板材１１に一体的に止着される当該補強材１３における突き出し隅部をカットすることによって設ける等適宜の手法によって設けてある。
【００７７】
かかる構成よりなる天板部材５０をシンク備え付けキャビネット２１や、調理機器備え付けキャビネット２２や、調理用キャビネット２３などの各種フロアーキャビネット２０等の上部に備え付けて用いることができる。
また、例えば、合板上に人工大理石を貼り込んだ天板材１１を備えた天板部材５０や、合板上にメラミン樹脂化粧板を貼り込んだ天板材１１を備えた天板部材５０を洗面化粧台を構成するキャビネット２０上に備え付け用いることができる。
【００７８】
かかる天板部材５０に備え付けられる押出形材１２は、各種金属の押出成形材、例えば、アルミニウム製の押出形材１２やアルミニウム合金製の押出形材１２等が用いられる。
【００７９】
かかる押出形材１２は、各種形態のものを用いることができる。例えば、前記溝１１ｅに差し入れられる引っ掛け部１２ａと、前記溝１１ｅから前記縁１１ｃにいたる該天板材１１の板面１１ａ’を覆うように該引っ掛け部１２ａに連続して設けられている覆い部１２ｂと、前記天板部材５０の側端面５０ａを覆いながら下方に延びるように該覆い部１２ｂに連続して設けられている垂下板部１２ｃと、この垂下板部１２ｃから該垂下板部１２ｃの背面方向に突き出すように設けられている取付部１２ｄとを備えた構成のものであれば、いかなる形態のものであっても良く、これらの引っ掛け部１２ａと該引っ掛け部１２ａに連続して設けられている覆い部１２ｂと前記側端面１１ｄを覆いながら下方に延びるように該覆い部１２ｂに連続して設けられている垂下板部１２ｃと該垂下板部１２ｃの背面方向に突き出すように設けられている取付部１２ｄとを備えておれば、さらに、他の各種の構成を備えたものであっても良い。
【００８０】
かかる構成からなる天板部材５０の前記溝１１ｃにパッキン材１４’を納め入れ、このパッキン材１４’の納め入れられた前記溝１１ｅに前記押出形材１２の引っ掛け部１２ａを差し入れると共に前記天板部材５０の側端面５０ａに前記垂下板部１２ｃを近づかせるようにして前記取付部１２ｄを前記補強材１３の下面１３ｂに接するように前記押出形材１２を前記天板部材５０に組み付け、この状態で、当該押出形材１２を該天板部材５０に接着、ネジ、又は、これらの両者を用いて止着して天板１０を構成する。
【００８１】
このようにして得られた天板１０は、厨房における各種作業等に用いられる天板、厨房設備としての食器棚上に備えられる天板、ダイニングテーブル等のダイニングまわりに用いられる各種設備に備えられる天板、洗面化粧台などの洗面まわりの各種設備に備えられる天板、下駄箱等の玄関まわりの各種設備に備えられる天板、造り付けの各種収納家具や造り付けの収納庫や各種の造作の天板等として用いることができる。
【００８２】
さらに、典型的には、システムキッチンを構成する各種のフロアーキャビネット等のキャビネット２０類に当該天板１０組み付けて用いることができる。また、各種の機器を装備したフロアーキャビネット等のキャビネット２０に当該天板１０を組み付けて用いることができる。さらに、食器棚、サイドボード、カクテルキャビネット等の各種の収納家具や調度品などの天板として用いることができる。
【００８３】
かかる構成からなる天板１０にあっては、押出形材１２の備えられる縁部を金属特有の質感を備え、しかも、堅牢で、すっきりとした形状の縁部に構成できると共に、溝１１ｅに引っ掛けられる押出形材１２における引っ掛け部１２ａによって、この天板１０の縁１１ｃに沿って、すっきりとした水返し１０ａを設けることができる。
【００８４】
また、前記天板１０の構成において金属製の押出形材１２を用いることで、前記特長を備えた天板１０を格別の熟練者によることなく、容易に、しかも、必要最小限の材料を用いて製作することができる。
【００８５】
（実施例３）
ついで、図１０〜図１５に示されるシステムキッチン等を構成するフロアーキャビネット等のキャビネット２０に備え付けた典型的な天板１０について説明する。
【００８６】
この実施例の天板部材５０は、図１１に示されるように天板材１１と補強材１３を一体に備えた構成としてある。そして、この天板部材５０を構成する天板材１１は人工大理石板１１’と補強合板１１”とを接着一体にして構成してあり、この天板材１１における人工大理石板１１’側が上になるようにしてあり、その上面１１ａにおける一つの縁１１ｃに沿って溝１１ｅを設けるようにしてある。
かかる天板材１１と共に天板部材５０を構成する補強材１３は、この図示例にあっては、当該溝１１ｅの備えられている天板材１１の下面１１ｂに当該天板材１１の縁１１ｃに沿うように設けてあり、接着剤、ビス等任意の方法で前記天板材１１に止着してある。
【００８７】
なお、この補強材１３を備えて構成される天板部材５０は、この天板部材５０の前記溝１１ｅに押出形材１２の引っ掛け部１２ａを入れ込んだ状態で、当該押出形材１２の取付部１２ｄを前記補強材１３の下面１３ｂに回し込み。かつ、密着させ得るように、この図示例にあっては、当該補強材１３における前端側の下部部分を取り除いた状態の欠切部１３ａとしてある。
【００８８】
このようにして用意された天板部材５０における一つの縁１１ｃ、この実施例にあっては、当該天板部材５０の備え付けられるフロアーキャビネット等のキャビネット２０における手前側の上縁に沿う縁１１ｃに沿って、その上面１１ａ、すなわち、人工大理石板１１’の面に、図１０に示されるように溝１１ｅが設けてある。
【００８９】
かかる溝１１ｅに納め入れられるパッキン材１４’は、典型的には、ゴム素材やゴム状弾性を有する素材によって構成してあり、例えば、各種の成形ゴム、典型的には、押出成形された長尺状の棒状、板状のパッキン材１４’を用いることができる。この図示例にあっては、前記溝１１ｅ内の底部側に納まる大きさの丸棒状のゴム製パッキン材１４’が用いられている。
【００９０】
かかる天板部材５０に組み付け用いられる押出形材１２は、典型的には、アルミニウム合金製の押出形材１２であって、前記溝１１ｅに垂直に差し入れられる板状の引っ掛け部１２ａと、前記溝１１ｅから天板材１１の手前側縁１１ｃにいたる板面１１ａ’を覆うように該引っ掛け部１２ａから直角に延びるように備えられる板状の覆い部１２ｂと、この覆い部１２ｂから前記天板部材５０の側端面５０ａに添って当該側端面５０ａを覆って下方に延びるように備えられる垂下板部１２ｃと、この垂下板部１２ｃの下端から直角に当該垂下板部１２ｃの背面方向に向けて延びるように備えられる板状の取付部１２ｄとを備えた構成としてあり、前記板状の覆い部１２ｂと当該板状の取付部１２ｄとが平行とされ、また、前記板状の引っ掛け部１２ａと垂下板部１２ｃとが平行となるようにしてある。
【００９１】
かかる押出形材１２は、その表面に適宜装飾を施すようになすことができる。この押出形材１２に備えられる装飾は、例えば、前記垂下板部１２ｃの前面側にある面、すなわち、前記側端面５０ａに接しない側の面に、その長さ方向に長く、しかも、細かい凹凸の溝状をなす模様等によって構成することができる。
【００９２】
そして、この溝１１ｅに差し入れられる引っ掛け部１２ａは、前記垂下板部１２ｃの側で、当該溝１１ｅの内壁面との間に、この引っ掛け部１２ａを回し込み得る隙間を生ずるようにしてある。すなわち、当該引っ掛け部１２ａにおける先端部の垂下板部１２ｃに面した側がカットされた傾斜面１２ａ’としてあり、この傾斜面１２ａ’に連続する引っ掛け部１２ａの基部側がガイド面１２ａ”としてあり、このガイド面１２ａ”によって、当該基部側が前記溝１１ｅの溝幅よりも幅狭となるようにしてある。
【００９３】
このように構成された天板材１１の溝１１ｅに図１１に示されるようにパッキン材１４’を納め入れ、このパッキン材１４’に先端部を突き当てるようにして前記押出形材１２の引っ掛け部１２ａを差し入れ、次いで、図１２に示されるように、当該押出形材１２の垂下板部１２ｃを前記側端面５０ａに漸次接近させる。
【００９４】
かかる押出形材１２の、前記溝１１ｅに引っ掛けられている引っ掛け部１２ａを支点とした回動によって、取付部１２ｄの先端が、前記補強材１３の欠切部１３ａを構成するテーパ面に案内されて、前記引っ掛け部１２ａが漸次、パッキン材１４’を押圧変形しながら、当該パッキン材１４’の変形量に対応して、取付部１２ｄを下方に移動するように回動される。
【００９５】
かかる押出形材１２の組み付けられる天板部材５０は、当該押出形材１２を前記態様で当該天板部材５０に組み付けた際に、この押出形材１２における取付部１２ｄが、前記引っ掛け部１２ａによるパッキン材１４’の弾性変形と、前記引っ掛け部１２ａの傾斜面１２ａ’及びガイド面１２ａ”による当該溝１１ｅ内における引っ掛け部１２ａの傾動と、前記欠切部１３ａとによって、補強材１３の下面１３ｂに密着して組み付けうるようにしてあり、特に、前記パッキン材１４’によって当該下面１３ｂよりも下方に案内された取付部１２ｄが補強材１３の下面１３ｂに向けて弾性復帰する態様で密着される構成としてある。
【００９６】
また、この図示例にあっては、前記引っ掛け部１２ａに備えられている傾斜面１２ａ’と、側端面５０ａ側にある溝１１ｅの溝壁面との間に前記パッキン材１４’が挟み付けられており、この引っ掛け部１２ａを前記側端面５０ａと反対の側にある溝１１ｅの溝壁面に押しつけるように機能し、押出形材１２によって覆われた上面１１ａにあって、垂直の板状に構成されている当該引っ掛け部１２ａと溝１１ｅとは隙間無く密着して組み付けられ、すっきりとした水返し１０ａを構成している。
【００９７】
このようにして組み付けられた天板部材５０と押出形材１２とを適宜の手段、例えば、接着剤による接着、ネジによる止着、ネジと接着剤とを用いた止着等によって一体とされた天板１０を構成する。
【００９８】
かかる、接着は、例えば、天板部材５０の側端面５０ａを垂下板部１２ｃに接着することによってなすことができる。
【００９９】
また、かかるネジ止めは、例えば、取付部１２ｄに設けられている孔１２ｅからネジ１５を補強材１３にねじ入れることによってなすことができる。
【０１００】
なお、この図示例にあっては、前記垂下板部１２ｃと取付部１２ｄとの間を厚肉部に構成し、取付部１２ｄの補強をなすようにしてある。
また、この図示例にあっては、  前記欠切部１３ａが、天板部材５０の側端面５０ａより前記溝１１ｅの中心線を超えて天板材１１の中心方向に延びるように設けてある。すなわち、この側端面５０ａの側から設けられている欠切部１３ａが、前記溝１１ｅの中心を通る線分を超えて当該補強材１３の隅部をカットするように構成してあり、取付部１２ｄの円滑な回動の妨げとならないように構成してある。
【０１０１】
このようにして得られた天板１０に対して、必要に応じてバックガード３８を備え付けて、シンク３０を備えたフロアーキャビネット２１、レンジ等の加熱調理機器３１等を備えたフロアーキャビネット２２、調理用のフロアーキャビネット２３等のキャビネット２０上に備え付けてシステムキッチン等のキッチン装置を構成する。
【０１０２】
なお、図中３３はシンク３０の排水部を、３４は給水・給湯用の水栓金具を、３５はキャビネット２０の扉を、３６はキャビネット２０の抽斗を、３７はキャビネット２０の側面を構成する化粧側板を示している。
【０１０３】
このようにフロアーキャビネット等のキャビネット２０上に備え付けられる天板１０にあっては、当該キャビネット２０の手前側の上端部分が押出形材１２によって、金属特有の質感を備えると共に、堅牢で、しかも、すっきりとした形状の縁部をなすように構成でき、溝１１ｅに引っ掛けられる押出形材１２における引っ掛け部１２ａによって、この天板１０の手前縁１１ｃに沿って、すっきりとした水返し１０ａを設けることができる。
【０１０４】
また、前記構成にかかる天板１０にあっては、金属製の押出形材１２を用いることによって、かかる特長を備えた天板１０を格別の熟練者によることなく、容易に、しかも、必要最小限の材料を用いて製作することができる。
【０１０５】
（実施例４）
前記実施例３において構成された天板１０は、これを洗面化粧台を構成するキャビネット２０上に備え付けることによって、図１６に示される洗面化粧台を構成することができる。
【０１０６】
図中３２は洗面ボールを示しており、前記実施例３と同一または実質的に同一の構成部分には、同一の番号を付して、その説明を省略する。
【０１０７】
（実施例５）
ついで、図１７〜図２１に示されるシステムキッチン等を構成するフロアーキャビネット等のキャビネット２０に備え付けた典型的な天板１０について説明する。
【０１０８】
この図１７〜図２１に示される天板１０は、前記実施例３において示された天板部材５０に対して、補強材１３を、人工大理石板１１’と補強合板１１”とによって構成される天板材１１における人工大理石板１１’に直接止着した以外の構成を当該実施例３において示される天板１０の構成と同一又は実質的に同一の構成としてあり、同様にして用いられる。
【０１０９】
従って、前記図１７〜図２１において示される天板１０と同一又は実質的に同一の構成部分には同一の番号を付して説明を省略する。
【０１１０】
この図示例にかかる天板１０を構成する天板部材５０は、天板材１１及び補強材１３を備えた構成としてある。そして、人工大理石板１１’の前端部分を残して当該人工大理石板１１’の下面に補強合板１１”を接着一体に設けると共に、この補強合板１１”の接着されていない人工大理石板１１’部分に補強材１３を接着一体に設けることによって天板部材５０を構成してある。
【０１１１】
このように構成された天板部材５０に対して、前記実施例３におけると同様の手法によって押出形材１２を備え付け、かつ、止着して天板１０を構成する。
【０１１２】
このようにして得られた天板１０は、前記実施例３におけると同様にして用いることができる。
【０１１３】
（実施例６）
前記実施例５において構成された天板１０は、これを洗面化粧台を構成するキャビネット２０上に備え付けることによって、図２２に示される洗面化粧台を構成することができる。
【０１１４】
図中３２は洗面ボールを示しており、前記実施例５と同一または実質的に同一の構成部分には、同一の番号を付して、その説明を省略する。
【図面の簡単な説明】
【０１１５】
【図１】典型的な天板を破断して要部を示す斜視図
【図２】天板材１１の製作の一過程を示す要部断面図
【図３】同他の製作過程を示す要部断面図
【図４】同他の製作過程を示す要部断面図
【図５】同他の製作過程を示す要部断面図
【図６】典型的な天板の要部断面図
【図７】典型的な天板を用いた一例を示す断面図
【図８】同斜視図
【図９】典型的な天板を用いた他の一例を示す断面図
【図１０】典型的な他の天板を破断して要部を示す斜視図
【図１１】同天板部材の断面図
【図１２】同天板部材に押出形材を組み付ける状態を示す要部断面図
【図１３】同天板部材に押出形材を止着した状態を示す要部断面図
【図１４】同典型的な天板を用いた一例を示す断面図
【図１５】同斜視図
【図１６】同典型的な天板を用いた他の一例を示す断面図
【図１７】典型的な他の天板を破断して要部を示す斜視図
【図１８】同天板部材の断面図
【図１９】同天板部材に押出形材を組み付ける状態を示す要部断面図
【図２０】同天板部材に押出形材を止着した状態を示す要部断面図
【図２１】同典型的な天板を用いた一例を示す断面図
【図２２】同典型的な天板を用いた他の一例を示す断面図
【図２３】従来の天板の要部断面図
【符号の説明】
【０１１６】
１０  天板
１１  天板材
１１ｅ  溝
１１ｄ  側端面
１２  押出形材
１２ａ  引っ掛け部
１２ｂ  覆い部
１２ｃ  垂下板部
１２ｄ  取付部
１３  補強材
１４’  パッキン材
５０  天板部材
５０ａ  側端面
【図１】
2006075582.tif 000003
【図２】
2006075582.tif 000004
【図３】
2006075582.tif 000005
【図４】
2006075582.tif 000006
【図５】
2006075582.tif 000007
【図６】
2006075582.tif 000008
【図７】
2006075582.tif 000009
【図８】
2006075582.tif 000010
【図９】
2006075582.tif 000011
【図１０】
2006075582.tif 000012
【図１１】
2006075582.tif 000013
【図１２】
2006075582.tif 000014
【図１３】
2006075582.tif 000015
【図１４】
2006075582.tif 000016
【図１５】
2006075582.tif 000017
【図１６】
2006075582.tif 000018
【図１７】
2006075582.tif 000019
【図１８】
2006075582.tif 000020
【図１９】
2006075582.tif 000021
【図２０】
2006075582.tif 000022
【図２１】
2006075582.tif 000023
【図２２】
2006075582.tif 000024
【図２３】
2006075582.tif 000025